(57)【特許請求の範囲】
【請求項１】
供給管挿通用の貫通孔が開設された水栓取付板部の上部に、供給管の挿通孔を有する貫通孔よりも大径の水栓取り付け用のアダプターを、それらの両孔を連通させる状態で上方から固定し、このアダプターに水栓を取り付けるようにした水栓取付け機構であって、
前記アダプターは、中心をアダプター中心に沿わせる状態で、アダプター中心まわりでほゞ等間隔に形成された少なくとも３個の透孔を有し、また、
前記アダプターに、前記貫通孔に挿通可能な少なくとも３本のホルダーガイドを、前記透孔を介してアダプター中心まわりでほゞ等間隔に設けると共に、このホルダーガイドの少なくとも１本を、上部に回転操作頭部を有するネジ部材にして、前記アダプターに対して回転可能に構成し、
これらホルダーガイドに、前記貫通孔を上方から通過する第１姿勢と、回転に伴って水栓取付板部の下面に係止する第２姿勢とに、それぞれ切り換え可能にホルダーを設け、各ホルダーには、ホルダーガイドを挿通させるための挿通孔が形成されている一方、
これらのホルダーを一挙に受け止め保持する１個のホルダー保持部材を、前記貫通孔を通過可能な大きさにするとともに、
前記ホルダー保持部材に、供給管の挿通孔と、前記透孔１３と同芯状の孔とを形成し、かつ、同芯状の孔の少なくとも一つを螺着用ネジ孔として、また、残りの同芯状の孔をホルダーガイド挿通孔とし、
前記螺着用ネジ孔を介してホルダー保持部材に、前記ネジ部材と成したホルダーガイドを螺着し、残りのホルダーガイドについては、これをホルダーガイド挿通孔を介してホルダー保持部材に係止させて、ネジ部材と成したホルダーガイドの回転によるホルダー保持部材の螺進に伴って上記ホルダーを持ち上げて、このホルダーとアダプターとによって水栓取付板部を挟着するように構成し、
さらに、前記ホルダー保持部材とホルダーとの当接面を、前記ホルダーの第２姿勢への切り換わり状態で互いに密接するように、アダプター中心から放射方向で外下がりになる傾斜面に形成して、傾斜面間でのカム作用によるホルダーの回転に伴って、このホルダーを第１姿勢から第２姿勢に切り換えるように構成して成ることを特徴とする水栓取り付け機構。
【請求項２】
供給管挿通用の貫通孔が開設された水栓取付板部の上部に、供給管の挿通孔を有する貫通孔よりも大径の水栓取り付け用のアダプターを、それらの両孔を連通させる状態で上方から固定し、このアダプターに水栓を取り付けるようにした水栓取付け機構であって、
前記アダプターは、中心をアダプター中心に沿わせる状態で、アダプター中心まわりでほゞ等間隔に形成された少なくとも３個の透孔を有し、また、
前記アダプターに、前記貫通孔に挿通可能な少なくとも３本のホルダーガイドを、前記透孔を介してアダプター中心まわりでほゞ等間隔に設けると共に、このホルダーガイドの少なくとも１本を、上部に回転操作頭部を有するネジ部材にして、前記アダプターに対して回転可能に構成し、
これらホルダーガイドに、前記貫通孔を上方から通過する第１状態と、アダプター中心から放射方向へのスライドに伴って水栓取付板部の下面に係止する第２状態とに、それぞれ切り換え可能にホルダーを設け、各ホルダーには、ホルダーガイドを挿通させるための長孔が形成されている一方、
これらのホルダーを一挙に受け止め保持する１個のホルダー保持部材を、前記貫通孔を通過可能な大きさにするとともに、
前記ホルダー保持部材に、供給管の挿通孔と、前記透孔と同芯状の孔とを形成し、かつ、同芯状の孔の少なくとも一つを螺着用ネジ孔として、また、残りの同芯状の孔をホルダーガイド挿通孔とし、
前記螺着用ネジ孔を介してホルダー保持部材に、前記ネジ部材と成したホルダーガイドを螺着し、残りのホルダーガイドについては、これをホルダーガイド挿通孔を介してホルダー保持部材に係止させて、ネジ部材と成したホルダーガイドの回転によるホルダー保持部材の螺進に伴って上記ホルダーを持ち上げて、このホルダーとアダプターとによって水栓取付板部を挟着するように構成し、
さらに、前記ホルダー保持部材とホルダーとの当接面を、前記ホルダーの第２姿勢への切り換わり状態で互いに密接するように、アダプター中心から放射方向で外下がりになる傾斜面に形成して、傾斜面間でのカム作用によるホルダーのアダプター中心から放射方向へのスライドに伴って、このホルダーを第１状態から第２状態に切り換えるように構成して成ることを特徴とする水栓取り付け機構。
【発明の詳細な説明】
【０００１】
【発明の属する技術分野】
本発明は、例えば台所の流し台などの水栓取付板部に対して、板部上方からの一人作業によって水栓を取り付けることができるようにした水栓取り付け機構に関するものである。
【０００２】
【従来の技術】
上記の水栓取り付け機構として、図１１に示すように、例えば湯水混合栓（水栓の一例）３１の湯水供給管３２，３３を挿通するための貫通孔３４が開設された水栓取付板部３５の上部に、上記供給管３２，３３の挿通孔３６を有する水栓取り付け用のアダプター３７を、それらの両孔３４，３６を連通させる状態で上方から固定し、このアダプター３７に湯水混合栓３１を外嵌合させて、ビス３８止めするようにしたものがある。
【０００３】
具体的には、水栓取り付け機構３９は、図１２に示すように、湯水供給管３２，３３の挿通孔３６を形成したアダプター３７に、２個の透孔４０，４０を形成する一方、この透孔４０，４０に、上部に回転操作頭部ｈを有するネジ部材４１，４１を上方から挿通して、各ネジ部材４１にホルダー４２を螺着し、かつ、前記ネジ部材４１，４１の挿通端にわたって半円状の連結部材４３を設けると共に、この連結部材４３と前記アダプター３７とにわたってホルダー４２の回り止め部材４４，４４を設けた上で、前記ネジ部材４１，４１の挿通端に、前記連結部材４３の抜け止め防止用のＥリングｉ，ｉを設けて成るものがある。
【０００４】
上記のネジ部材４１に螺着のホルダー４２は、図１３に示すように、水栓取付板部３５に開設の貫通孔３４を上方から通過可能で、かつ、図１４（Ａ）に示すように、水栓取付板部上方でのネジ部材４１の回転操作に伴って、このネジ部材４１と共回りして回り止め部材４４に当接すると共に、図１４（Ｂ）に示すように、当接後は螺進に伴って水栓取付板部３５の下面に係止する形状に形成されており、このホルダー４２とアダプター３７とによって水栓取付板部３５を挟着（図１１を参照）することで、前記アダプター３７を水栓取付板部３５に上方から固定するように構成されている。
【０００５】
従って、爾後は、湯水混合栓３１に接続の供給管３２，３３をアダプター３７の供給管挿通孔３６に上方から挿通し、かつ、湯水混合栓３１をアダプター３７にビス３８止めすることで、流し台などの下部に潜り込むことなく、水栓取付板部３５に対する一連の湯水混合栓３１の取り付けを、板部上方からの一人作業によって楽に行うことができるのである。
【０００６】
【発明が解決しようとする課題】
ところが、上記構成の水栓取り付け機構では、ネジ部材４１，４１に螺着の２個のホルダー４２，４２を個々に締め付けることから、施工時間が長くかゝり、加えて、水栓取付板部３５を２個のホルダー４２，４２で締め付けるだけであるから、ホルダー４２，４２を強力に締め付けて、締め付け面圧を大きくしないことには、アダプター３７ひいては湯水混合栓３１が位置ずれすることになる。
【０００７】
更に、ホルダー４２，４２による締め付け２点を結ぶ線Ｒがアダプター中心Ｑから偏っているために、偏り反対側のアダプター部分３７ａが浮き上がり気味になり易く、湯水混合栓３１が傾き姿勢になって見栄えが悪くなる点で問題があった。
【０００８】
本発明は、かゝる実情に鑑みて成されたものであって、湯水混合栓などの水栓を位置ずれはもとより傾きも生じさせないで、板部上方からの一人作業で見栄え良く取り付けることができる水栓取り付け機構を、施工時間の短縮化を図り得るものにして提供することを目的としている。
【０００９】
【課題を解決するための手段】
上記の目的を達成するために、本発明が講じた技術的手段は次の通りである。即ち、請求項１記載の発明は、供給管挿通用の貫通孔が開設された水栓取付板部の上部に、供給管の挿通孔を有する貫通孔よりも大径の水栓取り付け用のアダプターを、それらの両孔を連通させる状態で上方から固定し、このアダプターに水栓を取り付けるようにした水栓取付け機構であって、
前記アダプターは、中心をアダプター中心に沿わせる状態で、アダプター中心まわりでほゞ等間隔に形成された少なくとも３個の透孔を有し、また、
前記アダプターに、前記貫通孔に挿通可能な少なくとも３本のホルダーガイドを、前記透孔を介してアダプター中心まわりでほゞ等間隔に設けると共に、このホルダーガイドの少なくとも１本を、上部に回転操作頭部を有するネジ部材にして、前記アダプターに対して回転可能に構成し、
これらホルダーガイドに、前記貫通孔を上方から通過する第１姿勢と、回転に伴って水栓取付板部の下面に係止する第２姿勢とに、それぞれ切り換え可能にホルダーを設け、各ホルダーには、ホルダーガイドを挿通させるための挿通孔が形成されている一方、
これらのホルダーを一挙に受け止め保持する１個のホルダー保持部材を、前記貫通孔を通過可能な大きさにするとともに、
前記ホルダー保持部材に、供給管の挿通孔と、前記透孔１３と同芯状の孔とを形成し、かつ、同芯状の孔の少なくとも一つを螺着用ネジ孔として、また、残りの同芯状の孔をホルダーガイド挿通孔とし、
前記螺着用ネジ孔を介してホルダー保持部材に、前記ネジ部材と成したホルダーガイドを螺着し、残りのホルダーガイドについては、これをホルダーガイド挿通孔を介してホルダー保持部材に係止させて、ネジ部材と成したホルダーガイドの回転によるホルダー保持部材の螺進に伴って上記ホルダーを持ち上げて、このホルダーとアダプターとによって水栓取付板部を挟着するように構成し、
さらに、前記ホルダー保持部材とホルダーとの当接面を、前記ホルダーの第２姿勢への切り換わり状態で互いに密接するように、アダプター中心から放射方向で外下がりになる傾斜面に形成して、傾斜面間でのカム作用によるホルダーの回転に伴って、このホルダーを第１姿勢から第２姿勢に切り換えるように構成している。
【００１０】
【００１１】
請求項２記載の発明では、供給管挿通用の貫通孔が開設された水栓取付板部の上部に、供給管の挿通孔を有する貫通孔よりも大径の水栓取り付け用のアダプターを、それらの両孔を連通させる状態で上方から固定し、このアダプターに水栓を取り付けるようにした水栓取付け機構であって、
前記アダプターは、中心をアダプター中心に沿わせる状態で、アダプター中心まわりでほゞ等間隔に形成された少なくとも３個の透孔を有し、また、
前記アダプターに、前記貫通孔に挿通可能な少なくとも３本のホルダーガイドを、前記透孔を介してアダプター中心まわりでほゞ等間隔に設けると共に、このホルダーガイドの少なくとも１本を、上部に回転操作頭部を有するネジ部材にして、前記アダプターに対して回転可能に構成し、
これらホルダーガイドに、前記貫通孔を上方から通過する第１状態と、アダプター中心から放射方向へのスライドに伴って水栓取付板部の下面に係止する第２状態とに、それぞれ切り換え可能にホルダーを設け、各ホルダーには、ホルダーガイドを挿通させるための長孔が形成されている一方、
これらのホルダーを一挙に受け止め保持する１個のホルダー保持部材を、前記貫通孔を通過可能な大きさにするとともに、
前記ホルダー保持部材に、供給管の挿通孔と、前記透孔と同芯状の孔とを形成し、かつ、同芯状の孔の少なくとも一つを螺着用ネジ孔として、また、残りの同芯状の孔をホルダーガイド挿通孔とし、
前記螺着用ネジ孔を介してホルダー保持部材に、前記ネジ部材と成したホルダーガイドを螺着し、残りのホルダーガイドについては、これをホルダーガイド挿通孔を介してホルダー保持部材に係止させて、ネジ部材と成したホルダーガイドの回転によるホルダー保持部材の螺進に伴って上記ホルダーを持ち上げて、このホルダーとアダプターとによって水栓取付板部を挟着するように構成し、
さらに、前記ホルダー保持部材とホルダーとの当接面を、前記ホルダーの第２姿勢への切り換わり状態で互いに密接するように、アダプター中心から放射方向で外下がりになる傾斜面に形成して、傾斜面間でのカム作用によるホルダーのアダプター中心から放射方向へのスライドに伴って、このホルダーを第１状態から第２状態に切り換えるように構成している。
【００１２】
【００１３】
請求項１記載の発明によれば、少なくとも３本のホルダーガイドに設けたホルダーを、例えば指で寄せ集めるようにして第１姿勢にし、このホルダーを水栓取付板部の貫通孔に嵌め込んで、貫通孔を通過させると、傾斜面間でのカム作用でホルダーが回転して、ホルダーが第１姿勢から第２姿勢に切り換わる。この際、必要に応じてアダプターを往復回転させて、ホルダーに回転方向の遠心力を与えることが、ホルダーを確実に第２姿勢に切り換えさせる上で好適である。
【００１４】
請求項２記載の発明においても、少なくとも３本のホルダーガイドに設けたホルダーを、例えば指で寄せ集めるようにして第１状態にし、このホルダーを水栓取付板部の貫通孔に嵌め込みつつ、貫通孔を通過させると、傾斜面間でのカム作用で、ホルダーがアダプター中心から放射方向にスライドし、ホルダーが第１状態から第２状態に切り換わる。この際、必要に応じてアダプターを往復回転させて、ホルダーにスライド方向の遠心力を与えることが、ホルダーを確実に第２状態に切り換えさせる上で好適である。
【００１５】
ここで、ネジ部材と成してホルダー保持部材に螺着した１本のホルダーガイドを、水栓取付板部の上方で回転させて、このホルダーガイドの回転によるホルダー保持部材の螺進に伴って、請求項１記載の発明では第２姿勢に切り換えたホルダーを、請求項２記載の発明では第２状態に切り換えたホルダーを、それぞれ一挙に持ち上げて、最終的に、水栓取付板部をホルダーとアダプターとによって挟着することで、水栓取り付け用のアダプターを板部上方から水栓取付板部に固定できるのであり、上記ネジ部材と成すホルダーガイドを２本以上にする場合は、その残りのホルダーガイドを、上記水栓取付板部の挟着後に締め付けることで、この板部締め付けの強度アップが達成されるのである。
【００１６】
従って、第１及び第２発明の何れにおいても、爾後は、水栓に接続の供給管をアダプターの供給管挿通孔に上方から挿通し、かつ、この水栓をアダプターに固定することで、水栓取付板部に対する水栓の一連の取り付けを、従来通り流し台などの下部に潜り込むことなく、板部上方での一人作業によって楽に行うことができるのである。
【００１７】
この際、ネジ部材と成すホルダーガイドを１本にすると、アダプター取り付けの施工時間が従来に比べて半減し、或いは、ネジ部材と成すホルダーガイドを２本以上にするときは、上記したように、板部締め付けの強度アップが達成されのである。
【００１８】
そして、第１及び第２発明の何れにおいても、ホルダーによる水栓取付板部の締め付け点を、アダプター中心まわりでほゞ等間隔の少なくとも３点にしているので、ホルダー個々の締め付け面圧を従来通りとした場合、より強固にアダプターを固定できることから、アダプターひいては水栓の位置ずれが確実に防止されることになり、加えて、この少なくとも３点の締め付け点を結ぶ線内にアダプター中心が位置することから、水栓を傾斜させることなく、直立姿勢にして水栓取付板部に取り付けることができるのである。
【００１９】
【発明の実施の形態】
以下、本発明の実施の形態を図面に基づいて説明する。図１は水栓の一例の湯水混合栓１を示し、湯および水の供給管２，３と、湯水の混合比と止水を含む吐水量調節用のレバー４と、混合湯水の吐水管５とを備えて成る。
【００２０】
６は水栓取り付け用のアダプター７を備えた水栓取り付け機構で、第１発明にかゝるものであり、前記供給管２，３を挿通するための貫通孔８が開設された水栓取付板部９の上部に、前記アダプター７を板部上方から固定するように構成されている。
【００２１】
詳しくは、図２および図３に示すように、水栓取付板部９の貫通孔８よりも大径のアダプター７を、前記供給管２，３の挿通孔１１を形成するようにリング状に形成すると共に、このアダプター７の内面部に、前記貫通孔８に臨ませる状態で３個のスリーブ体１２を膨出し、各スリーブ体１２に、孔中心をアダプター中心Ｑに沿わせる状態で、３個の透孔１３をアダプター中心Ｑまわりでほゞ等間隔に形成している。
【００２２】
そして、回転操作頭部ａを有するネジ部材１４ａと、抜け止め頭部ｂを有するリベット部材１４ｂとを、それぞれホルダーガイドとして、これらのホルダーガイド１４ａ，１４ｂを、前記透孔１３に上方から回転可能に挿通し、かつ、ホルダーガイド１４ａ，１４ｂのそれぞれを、前記貫通孔８に対しても挿通可能に構成して、これらホルダーガイド１４ａ，１４ｂに、前記貫通孔８を上方から通過する第１姿勢Ａと、回転に伴って水栓取付板部９の下面に係止する第２姿勢Ｂとに、それぞれ切り換え可能にホルダー１５を設けている。
【００２３】
一方、前記貫通孔８を通過可能な大きさの１個のホルダー保持部材１６に、前記供給管２，３の挿通孔１７と、前記透孔１３と同芯状の孔ｃ、ｄ，ｄとを形成すると共に、この内の孔ｃを前記ネジ部材としたホルダーガイド１４ａの螺着用ネジ孔とし、かつ、残りの孔ｄ，ｄを前記リベット部材としたホルダーガイド１４ｂの挿通孔として、前記ホルダーガイド１４ａ，１４ｂにそれぞれホルダー１５を、それに形成の挿通孔１８を通して保持させた状態で、前記孔ｄ，ｄにホルダーガイド１４ｂを挿通させつつ、前記孔ｃにホルダーガイド１４ａを螺着して、ホルダー１５の抜け止めを図っている。
【００２４】
また、ホルダー保持部材１６とホルダー１５との当接面を、前記ホルダー１５の第２姿勢Ｂへの切り換わり状態で互いに密接するように、アダプター中心Ｑから放射方向で外下がりになる傾斜面Ｓ１，Ｓ２に形成して、傾斜面Ｓ１，Ｓ２間でのカム作用によるホルダー１５の回転に伴って、このホルダー１５を第１姿勢Ａから第２姿勢Ｂに切り換えるように構成している。
【００２５】
上記の傾斜面Ｓ１，Ｓ２として、この実施の形態では、図４に展開図示するように、アダプター中心Ｑまわりで３０度の円錐の傾斜面Ｓ１，Ｓ２としているが、これをアダプター中心Ｑから放射方向で外下がりになる単一平面の傾斜面にしてもよいのであり、かつ、傾斜角にしても、３０度に限られるものではなく、２０度から６０度の範囲など、任意に設定可能である。
【００２６】
上記の構成によれば、ホルダーガイド１４ａ，１４ｂに設けた３個のホルダー１５を、アダプター中心側に指で寄せ集めるように回転させて、このホルダー１５を第１姿勢Ａにして水栓取付板部９の貫通孔８に嵌め込み、貫通孔８を通過させると、傾斜面Ｓ１，Ｓ２間でのカム作用でホルダー１５が回転して、ホルダー１５が第１姿勢Ａから第２姿勢Ｂに切り換わる（図３を参照）。この際、必要に応じてアダプター７を往復回転させて、ホルダー１５に回転方向の遠心力を与えることが、ホルダー１５を確実に第２姿勢Ｂに切り換えさせる上で好適である。
【００２７】
ここで、ネジ部材と成した１本のホルダーガイド１４ａを右ネジにした場合、このホルダーガイド１４ａを水栓取付板部９の上方で右回転させると、この回転に伴ってホルダー保持部材１６が、第２姿勢Ｂに切り換えられた３個のホルダー１５を一挙に持ち上げ、最終的にホルダー１５が水栓取付板部９の下面に係止することで、ホルダー１５はアダプター７とによって水栓取付板部９を挟着することになる。
【００２８】
従って、上記構成の水栓取り付け機構６によれば、ネジ部材と成した１本のホルダーガイド１４ａを回転操作するだけで、水栓取り付け用のアダプター７を、水栓取付板部９の上部に板部上方から固定することができるのであって、爾後は、湯水混合栓１に接続の供給管２，３をアダプター７の供給管挿通孔１１に上方から挿通し、かつ、この湯水混合栓１の下部側をアダプター７に内嵌合させて、ビスｅ止め（図５を参照）することで、水栓取付板部９に対する湯水混合栓１の一連の取り付けを、板部上方での一人作業によって楽に行うことができる。
【００２９】
また、ホルダー１５による水栓取付板部９の締め付け点Ｐを、アダプター中心Ｑまわりでほゞ等間隔の３点としているので、ホルダー個々の締め付け面圧を従来通りとした場合、より強固にアダプター７を固定できることから、アダプター７ひいては湯水混合栓１の位置ずれが確実に防止されることになり、加えて、この少なくとも３点の締め付け点Ｐを結ぶ線内にアダプター中心Ｑが位置することから、湯水混合栓１を傾斜させることなく、直立姿勢にして水栓取付板部９に取り付けることができる。
【００３０】
第２発明にかゝる水栓取り付け機構６を図６および図７に示している。この図６および図７において、図３および図４に示した符号と同一のものは、同一または相当物である。
【００３１】
この第２発明にかゝる水栓取り付け機構６が、第１発明にかゝる水栓取り付け機構６と異なる点は、第１発明にかゝる水栓取り付け機構６では、ホルダーガイド１４ａ，１４ｂを挿通させるための挿通孔１８をホルダー１５に形成して、ホルダー１５を回転に伴って第１姿勢Ａと第２姿勢Ｂとに切り換え可能に構成しているのに対して、第２発明にかゝる水栓取り付け機構６では、上記の挿通孔１８に代えて、これを長孔１９としている点である。
【００３２】
即ち、ホルダー１５を、このホルダー１５が貫通孔８を上方から通過する第１状態Ｘと、傾斜面Ｓ１，Ｓ２が互いに密接してホルダー１５が水栓取付板部９の下面に係止する第２状態Ｙとに、それぞれ切り換え可能に構成するために、ホルダー１５に、アダプター７を中心にして放射方向の長孔１９を形成して、傾斜面Ｓ１，Ｓ２間でのカム作用によるホルダー１５のアダプター中心Ｑから放射方向へのスライドに伴って、ホルダー１５を第１状態Ｘから第２状態Ｙに切り換えるように構成しているのである。
【００３３】
この際、円錐の傾斜面Ｓ１，Ｓ２に代えて、これをアダプター中心Ｑから放射方向で外下がりになる単一平面の傾斜面に形成してもよく、或いは、アダプター中心Ｑから放射方向で外下がりにするならば、これの断面を単純な半円形にしてもよいのである。
【００３４】
上記の構成によれば、ホルダーガイド１４ａ，１４ｂに設けた３個のホルダー１５を、アダプター中心側に指で寄せ集めるようにスライドさせて、ホルダー１５を第１状態Ｘにして水栓取付板部９の貫通孔８に嵌め込み、貫通孔８を通過させると、傾斜面Ｓ１，Ｓ２間でのカム作用でホルダー１５がスライドして、ホルダー１５が第１状態Ｘから第２状態Ｙに切り換わる（図３を参照）。この際、必要に応じてアダプター７を往復回転させて、ホルダー１５にスライド方向の遠心力を与えることが、ホルダー１５を確実に第２状態Ｙに切り換えさせる上で好適である。
【００３５】
この後は、第１発明による水栓取り付け機構６に対しての操作と同様の操作で、水栓取付板部９に対する水栓取り付け用アダプター７の取り付け、並びに、このアダプター７に対する湯水混合栓１の取り付けを、板部上方での一人作業によって楽に行うことができるのである。
【００３６】
尚、図２に示す構成では、ホルダーガイド１４ｂをリベット部材としているので、このホルダーガイド１４ｂが透孔１３から抜けると、このホルダーガイド１４ｂに保持されているホルダー１５が脱落するが、これが不都合ならば、ホルダーガイド１４ｂを孔ｄに接着したり圧入したりすればよく、また、ホルダーガイド１４ｂを単なるピンにして、これを孔ｄに接着したり、圧入などの手段で埋め込むようにしてもよいのである。
【００３７】
或いは図８に示すように、ホルダーガイド１４ｂの抜け止め頭部ｂ近傍にネジ部分ｆを形成する一方、透孔１３に代えてこれをネジ部分ｆの螺着用ネジ孔１３ａに形成して、ホルダーガイド１４ｂをネジ孔１３ａに螺着してもよいのであり、また、図示はしないが、ホルダーガイド１４ｂをルーズにして孔ｄに挿通させるならば、このホルダーガイド１４ｂを総ネジにしてもよいのである。
【００３８】
更に、図９に示すように、全てのホルダーガイド１４を、回転操作頭部ａを有するネジ部材とし、ホルダー保持部材１６の孔ｃ、ｄ，ｄについても、これの全てをネジ部材と成したホルダーガイド１４の螺着用ネジ孔にして、水栓取り付け機構６を構成してもよいのである。
【００３９】
かゝる構成の水栓取り付け機構６においては、ホルダー１５を水栓取付板部９の貫通孔８に通過させて、このホルダー１５を第２状態Ｙに切り換えた上で、上記ホルダーガイド１４の何れか１本を回転させ、ホルダー１５をホルダー保持部材１６によって一挙に持ち上げて、水栓取付板部９をホルダー１５とアダプター７とで挟着し（図１０を参照）、この後、前記ホルダー保持部材１６に螺着されて、上記ホルダー保持部材１６の持ち上げに伴って競り上げられたホルダーガイド１４を締め付けることで、水栓取り付け用のアダプター７を、水栓取付板部９の上部に板部上方から固定するのであって、水栓取付板部９の締め付け強度ひいてはアダプター７の取り付け強度アップが達成される。
【００４０】
この際、全てのホルダーガイド１４を回転操作頭部ａを有するネジ部材にする必要はなく、２本のホルダーガイド１４をネジ部材にして、残りのホルダーガイド１４については、これを上記した抜け止め頭部ｂを有するリベット部材１４ｂにしてもよいのであり、即ち、水栓取り付け機構において、これに備えるホルダーガイドを少なくとも３本にして、そのうちの少なくとも１本をネジ部材に構成することで、本発明が実現されるのである。
【００４１】
尚、図９および図１０に示す構成の水栓取り付け機構６において、ホルダー１５に形成の挿通孔１８に代えて、これを長孔１９にすることで、第２発明にかゝる水栓取り付け機構６が構成される。
【００４２】
また、上記各種の実施の形態では、ホルダー１５を３個にしているが、４個やそれ以上にしてもよいのである。
【００４３】
【発明の効果】
以上説明したように、第１および第２発明の何れにおいても、湯水混合栓などの水栓を位置ずれはもとより傾きも生じさせないで、板部上方からの一人作業で見栄え良く取り付けることができる水栓取り付け機構が、施工時間の短縮を図り得るものにして提供される。
【図面の簡単な説明】
【図１】  第１の発明にかゝる水栓取り付け機構による湯水混合栓の水栓取付板部に対する取り付け構成図である。
【図２】  水栓取り付け機構の分解斜視図である。
【図３】  水栓取り付け機構の断面図である。
【図４】  ホルダー保持部材とホルダーとの展開斜視図である。
【図５】  アダプターに内嵌合させた湯水混合栓のビス止め構成図である。
【図６】  第２の発明にかゝる水栓取り付け機構の断面図である。
【図７】  第２の発明にかゝるホルダー保持部材とホルダーとの展開斜視図である。
【図８】  ホルダーガイドの変形例を示す斜視図である。
【図９】  水栓取り付け機構の変形例を分解斜視図である。
【図１０】  図９に示す水栓取り付け機構による水栓取付板部の挟着状態を示す断面図である。
【図１１】  従来例の水栓取り付け機構による湯水混合栓の水栓取付板部に対する取り付け構成図である。
【図１２】  従来例の水栓取り付け機構の分解斜視図である。
【図１３】  従来例の水栓取り付け機構の水栓取付板部に対する取り付け前の状態を示す斜視図である。
【図１４】  （Ａ），（Ｂ）は従来例の水栓取り付け機構のホルダーの回転状態を示す斜視図と断面図である。
【符号の説明】
１…水栓（湯水混合栓）、２，３…供給管、７…アダプター、８…貫通孔、９…水栓取付板部、１１，１７…挿通孔、１３…透孔、１４，１４ａ，１４ｂ…ホルダーガイド、１５…ホルダー、１６…ホルダー保持部材、１８…挿通孔、Ａ…第１姿勢、Ｂ…第２姿勢、Ｑ…アダプター中心、Ｓ１，Ｓ２…傾斜面、Ｘ…第１状態、Ｙ…第２状態、ｃ、ｄ，ｄ…同芯状の孔。
【図１】
0004143183.tif 000002
【図２】
0004143183.tif 000003
【図３】
0004143183.tif 000004
【図４】
0004143183.tif 000005
【図５】
0004143183.tif 000006
【図６】
0004143183.tif 000007
【図７】
0004143183.tif 000008
【図８】
0004143183.tif 000009
【図９】
0004143183.tif 000010
【図１０】
0004143183.tif 000011
【図１１】
0004143183.tif 000012
【図１２】
0004143183.tif 000013
【図１３】
0004143183.tif 000014
【図１４】
0004143183.tif 000015